(57)【要約】【課題】低コストで安全に鉄板焼を行うことを可能にした鉄板焼装置の提供。【解決手段】上端周縁部全域にテーブル天板に形成した切り欠きに係止される係止縁部（３）を有する、使用に際して内部にガスバーナー（８）が配設される筐体（２）と、該筐体（２）の内周側における上端部近傍に係止される鉄板（４）と、該鉄板（４）の両端側において前記筐体（２）の内周側に係止される排気カバー（６）とを備える鉄板焼装置と、テーブル天板（１０）の表面に露出した前記係止縁部（３）中の少なくとも二辺部分の上方を覆う木製の防熱カバー（１１）と、を具備し、前記防熱カバー（１１）は、前記係止縁部（３）の両端を挟み込む基台部（１２）と、該基台部（１２）を連通しつつ基台部（１２）間の上方を閉鎖するカバー本体部（１３）と、前記基台部（１１）を連通しつつ基台部（１１）間の正面側あるいは背面側を閉鎖する遮熱部（１４）と、を具備した。【選択図】図１
2007151580.tif 000002
【特許請求の範囲】
【請求項１】
上端周縁部全域にテーブル天板に形成した切り欠きに係止される係止縁部（３）を有する、使用に際してその内部にガスバーナー（７）が配設される筐体（２）と、該筐体（２）の内周側における上端部近傍に係止される鉄板（４）と、該鉄板（４）の両端側において前記筐体（２）の内周側に係止される排気カバー（６）と、を備える鉄板焼装置と、
前記テーブル天板（１０）の表面に露出した前記係止縁部（３）中の少なくとも二辺部分の上方を覆う木製の防熱カバー（１１）と、を具備し、
前記防熱カバー（１１）は、前記係止縁部（３）の両端を挟み込む基台部（１２）と、
該基台部（１２）を連通しつつ基台部（１２）間の上方を閉鎖するカバー本体部（１３）と、
前記基台部（１１）を連通しつつ基台部（１１）間の正面側あるいは背面側を閉鎖する遮熱部（１４）と、を具備したことを特徴とする鉄板焼装置。
【請求項２】
上端周縁部全域にテーブル天板に形成した切り欠きに係止される係止縁部（３）を有する、使用に際してその内部にガスバーナー（７）が配設される筐体（２）と、該筐体（２）の内周側における上端部近傍に係止される鉄板（４）と、該鉄板（４）の両端側において前記筐体（２）の内周側に係止される排気カバー（６）とを備える鉄板焼装置における、テーブル天板（１０）の表面に露出した前記係止縁部（３）中の少なくとも二辺部分の上方を覆う木製の防熱カバー（１１）であって、
前記係止縁部（３）の両端を挟み込む基台部（１２）と、
該基台部（１２）を連通しつつ基台部（１２）間の上方を閉鎖するカバー本体部（１３）と、
前記基台部（１２）を連通しつつ基台部（１２）間の正面側あるいは背面側を閉鎖する遮熱部（１４）と、を具備したことを特徴とする鉄板焼装置用防熱カバー。
【請求項３】
上端周縁部全域にテーブル天板に形成した切り欠きに係止される係止縁部（３）を有する、使用に際してその内部にガスバーナー（７）が配設される筐体（２）と、該筐体（２）の内周側における上端部近傍に係止される鉄板（４）と、該鉄板（４）の両端側において前記筐体（２）の内周側に係止される排気カバー（６）と、を備える鉄板焼装置と、
前記テーブル天板（１０）の表面に露出した前記係止縁部（３）の上方を覆う木製の防熱カバー（１１ｂ）と、を具備し、
前記防熱カバー（１１ｂ）は、前記係止縁部（３）の上方を覆うカバー本体部（１３ｂ）と、
該カバー本体部（１３ｂ）の外周側縁部に下方に向けて連設した遮熱部（１４ｂ）と、を具備したことを特徴とする鉄板焼装置。
【請求項４】
上端周縁部全域にテーブル天板に形成した切り欠きに係止される係止縁部（３）を有する、使用に際してその内部にガスバーナー（７）が配設される筐体（２）と、該筐体（２）の内周側における上端部近傍に係止される鉄板（４）と、該鉄板（４）の両端側において前記筐体（２）の内周側に係止される排気カバー（６）とを備える鉄板焼装置における、テーブル天板（１０）の表面に露出した前記係止縁部（３）の上方を覆う木製の防熱カバー（１１ｂ）であって、
前記防熱カバー（１１ｂ）は、前記係止縁部（３）の上方を覆うカバー本体部（１３ｂ）と、
該カバー本体部（１３ｂ）の外周側縁部に下方に向けて連設した遮熱部（１４ｂ）と、を具備したことを特徴とする鉄板焼装置用防熱カバー。
【発明の詳細な説明】
【技術分野】
【０００１】
本発明は、鉄板焼装置に係り、より詳しくは、テーブル天板の表面に露出した鉄板焼装置における係止縁部を覆うことが可能な防熱カバーを具備し、これにより安全な調理等を可能にした鉄板焼装置に関する。
【背景技術】
【０００２】
従来から、加熱調理用の調理器として鉄板焼装置が提供されており、この鉄板焼装置により、例えばステーキ、焼肉等の加熱調理を可能としている。
【０００３】
ここで、図９は、従来から用いられている、従来から用いられている鉄板焼装置をテーブル天板３８に形成した切り欠き３８０１に係止した状態の鉄板焼装置３１をその長手方向に沿って示した断面図であり、図において３１が鉄板焼装置、３８がテーブル天板、そして、３８０１がテーブル天板３８の中央部分に形成した切り欠きである。
【０００４】
そして、この従来の鉄板焼装置３１は、テーブル天板３８等に形成された切り欠き３８０１に係止される筐体を備えている。
【０００５】
即ち、図９において３２が筐体であり、この筐体３２は、有底の長箱形状としており、その上端には、筐体３２をテーブルの天板等に係止するための係止縁部３３が形成され、この係止縁部３３がテーブル天板３８に形成された切り欠き３８０１の周縁部に係止されつつ、筐体３２が前記切り欠き３８０１内に挿入され、これにより、筐体３２がテーブル天板３８に装着される。
【０００６】
そして、この筐体３２の内部には、筐体３２の長手方向と並行に２本のガスバーナー３４が備えられており、このガスバーナー３４の炎により、ガスバーナー３４の上方に係止される鉄板３６を加熱することを可能としている。
【０００７】
即ち、前記筐体３２の内部には、上端近傍部分に係止棚部３５が装着されており、この係止棚部３５上に鉄板３６の縁が係止されており、鉄板３６上に肉、野菜等の食材を置いた状態で前記ガスバーナー３４に点火することで、鉄板３６上の食材を加熱可能としている。
【０００８】
また、鉄板３６の長手方向に向けた両端側には、上面側に複数の縦長の排気孔が形成された排気カバー３７が係止されており、これにより、筐体３２内の熱気等を筐体３２の外部に排気可能としている。
【０００９】
このように、従来の鉄板焼装置３１では、筐体３２をテーブル天板３８の上面に係止しているため、筐体３２の係止縁部３３がテーブル天板３８の上面に露出してしまうとともに、この露出した部分は一般的に９０度乃至１００度程度あるいはそれ以上の高温になるために、これにより、調理する者や、店員等が不測の事態を被ることが考えられる。
【００１０】
そこで、本発明者は、過去において、係止縁部がテーブル天板上に露出することを防止するために、テーブル天板における係止縁部の上方に断熱部材を配設した鉄板焼装置を提案した。
【特許文献１】特開２００５−８７２３３号公報
【発明の開示】
【発明が解決しようとする課題】
【００１１】
しかしながら、テーブル天板に断熱部材を配設する方法では、断熱部材を配設するための段差部をテーブル天板に形成しなければならず、手間とコストが上がってしまうという問題点が考えられる。
【００１２】
そこで、本発明は、低コストで安全に鉄板焼調理を行うことを可能にした鉄板焼装置を提供することを課題としている。
【課題を解決するための手段】
【００１３】
請求項１に記載の本発明の鉄板焼装置は、上端周縁部全域にテーブル天板に形成した切り欠きに係止される係止縁部を有する、使用に際してその内部にガスバーナーが配設される筐体と、該筐体の内周側における上端部近傍に係止される鉄板と、該鉄板の両端側において前記筐体の内周側に係止される排気カバーと、を備える鉄板焼装置と、
前記テーブル天板の表面に露出した前記係止縁部中の少なくとも二辺部分の上方を覆う木製の防熱カバーと、を具備し、
前記防熱カバーは、前記係止縁部の両端を挟み込む一対の基台部と、
該基台部を連通しつつ基台部間の上方を閉鎖するカバー本体部と、
前記基台部を連通しつつ基台部間の正面側あるいは背面側を閉鎖する遮熱部と、を具備したことを特徴としている。
【００１４】
また、請求項３に記載の本発明の鉄板焼装置は、上端周縁部全域にテーブル天板に形成した切り欠きに係止される係止縁部を有する、使用に際してその内部にガスバーナーが配設される筐体と、該筐体の内周側における上端部近傍に係止される鉄板と、該鉄板の両端側において前記筐体の内周側に係止される排気カバーと、を備える鉄板焼装置と、
前記テーブル天板の表面に露出した前記係止縁部の上方を覆う木製の防熱カバーと、を具備し、
前記防熱カバーは、前記係止縁部の上方を覆うカバー本体部と、該カバー本体部の外周側縁部に下方に向けて連設した遮熱部と、を具備したことを特徴としている。
【発明の効果】
【００１５】
本発明の鉄板焼装置では、鉄板焼装置においてテーブル天板の表面に露出する係止縁部中の上方を覆う木製の防熱カバーを具備しているために、この防熱カバーを鉄板焼装置における筐体の係止縁部の上に設置することで、高温になる係止縁部がテーブル天板上に露出することを防止でき、高温の係止縁部による火傷等の事故を未然に防止することができる。
【００１６】
そして、このとき、本発明の鉄板焼装置では、防熱カバーを鉄板焼装置における筐体の係止縁部上に設置することのみで良く、テーブル天板に加工等を施す必要もないため、手間及びコストが上がることを抑えることができるとともに、防熱カバー等の清掃も容易に行うことができ、テーブル天板上を常に清潔に保つことが可能である。
【００１７】
また、請求項１及び請求項２の防熱カバーは、テーブル天板上に露出した筐体の係止縁部を両端から挟み込む一対の基台部と、この基台部を連通しつつ基台部間の上方を閉鎖するカバー本体部を備えることにより、係止縁部の上方部分に空間を形成可能とし、また、請求項３及び請求項４の防熱カバーは、前記係止縁部の上方を覆うカバー本体部の外周側縁部に下方に向けて遮熱部を連設することにより、係止縁部の上方部分に空間を形成可能としているため、空気による断熱効果を期待することも可能である。
【００１８】
更に、請求項１乃至請求項４の防熱カバーのいずれも、係止縁部の上方に配置されるカバー本体部とともに、遮熱部を備えているために、熱気が調理者に向かうことを防止可能である。
【発明を実施するための最良の形態】
【００１９】
請求項１に記載の本発明の鉄板焼装置では、鉄板焼装置と、この鉄板焼装置におけるテーブル天板上に露出する係止縁部を覆う防熱カバーとで構成されており、鉄板焼装置は、上端周縁部全域にテーブル天板に形成した切り欠きに係止される係止縁部が形成されるとともに、使用に際してその内部にガスバーナーが配設される筐体を有している。
【００２０】
また、本発明の鉄板焼装置では、前記筐体の内周側における上端部近傍に係止される鉄板と、この鉄板の両端側において前記筐体の内周側に係止される排気カバーとを備えている。
【００２１】
更に、前記筐体の長手方向に向いた一端部側には、筐体の長手方向と直交する方向に向けて挿抜自在とした第１のカス受け皿が挿装されており、前記筐体の底部近傍には、鉄板の外形寸法よりも大きい外形寸法を有する第２のカス受け皿が挿抜自在に挿装されている。
【００２２】
そして、防熱カバーは、全体を木製としており、テーブル天板上に露出した前記係止縁部の両端を挟み込む基台部と、この基台部の上端部を連通しつつ基台部間の上方を閉鎖するカバー本体部と、基台部の正面側あるいは背面側を閉鎖する遮熱部と、を具備している。
【００２３】
また、請求項３に記載の本発明の鉄板焼装置では、鉄板焼装置と、この鉄板焼装置におけるテーブル天板上に露出する係止縁部を覆う防熱カバーとで構成されており、鉄板焼装置は、上端周縁部全域にテーブル天板に形成した切り欠きに係止される係止縁部が形成されるとともに、使用に際してその内部にガスバーナーが配設される筐体を有している。
【００２４】
また、本発明の鉄板焼装置では、前記筐体の内周側における上端部近傍に係止される鉄板と、この鉄板の両端側において前記筐体の内周側に係止される排気カバーとを備えている。
【００２５】
更に、前記筐体の長手方向に向いた一端部側には、筐体の長手方向と直交する方向に向けて挿抜自在とした第１のカス受け皿が挿装されており、前記筐体の底部近傍には、鉄板の外形寸法よりも大きい外形寸法を有する第２のカス受け皿が挿抜自在に挿装されている。
【００２６】
そして、防熱カバーは、前記係止縁部の上方を覆うカバー本体部を有しており、このカバー本体部は、係止縁部の形状に対応させ、四角形状に枠組みして構成されており、このカバー本体部の外周側縁部には、下方に向けて遮熱部が連設されている。
【実施例１】
【００２７】
本発明の鉄板焼装置の実施例について図面を参照して説明すると、図１及び図２は、図１は、テーブル天板に取り付けた状態の本実施例の鉄板焼装置を長手方向に向いて示した概略一部断面図であり、また、図２は、テーブル天板に取り付けた状態の本実施例の鉄板焼装置を長手方向に沿って示した概略一部断面図であり、更に、図３は本実施例の概略鉄板焼装置の分解図であり、図において１が鉄板焼装置の部分である。また、図１乃至図２において１０は、鉄板焼装置が係止されるテーブル天板である。
【００２８】
そして、本実施例の鉄板焼装置１は、テーブル天板１０の切り欠き内に装着される筐体を備えており、即ち、図において２が筐体であり、本実施例において筐体２は、平面視野を略長方形とした箱型形状とており、上方は開口とされ、底部もまた、周縁部２０１をわずかに残して開口２０４を形成している。
【００２９】
また、前記筐体２の上端部には、外周側へ向けて係止縁部３を連設しており、この係止縁部３をテーブル天板１０に形成した切り欠き１００１の周縁部上端に係止することで、筐体２をテーブル天板１０に装着可能としている。
【００３０】
次に、図において４は鉄板であり、本実施例においてこの鉄板４は、周縁に上下方向に向けた縁部４０１が形成された略長方形状としており、更に、長手方向に向けた一端側には、前記縁部４０１を切り欠いて形成した、任意の長さとした切り欠き部４０２を備えている。そして、このように構成される鉄板４は、前記筐体２の内周側における上端近傍に装着した載置棚部５上に載置され、これにより前記筐体２内に装着可能としている。
【００３１】
また、図において６は排気カバーであり、この排気カバー６は、前記鉄板４の長手方向に直交する寸法と略同一の長さ寸法を有しており、その両端部が、前記鉄板４の長手方向の両端側において、前記載置棚部５上に載置される。そして、これにより、筐体１内の熱気等を筐体１の外部に排気する作用を有する。
【００３２】
ここで、本実施例に用いる前記排気カバー６について説明すると、本実施例において前記排気カバー６は、これを筐体２に係止した際に前記鉄板４側となる箇所のほぼ全域に亘り開口６０１を有しており、これにより、筐体２内の熱気を鉄板４上に排出可能としている。
【００３３】
次に、図において７はガスバーナーであり、本実施例においてこのガスバーナー７は、表面に多数の小孔（図示せず）が形成された２本のバーナー本体７０１を備えており、このバーナー本体７０１が前記筐体２の内部に配置されるようにして、前記装置本体２における長手方向に向いた一方の側壁に形成したバーナー挿入孔２０２を介して筐体２に装着される。そして、本実施例におけるガスバーナー７は、前記バーナー本体７０１を連結する混合管７０２と、この混合管７０２に備えられるガスコック７０４とを備えており、前記混合管７０２にガス管７０３が連結され、これにより前記バーナー本体７０１にガスを供給可能としている。
【００３４】
また、前記筐体２の側壁の任意の箇所には空気孔２０３が形成され、この空気孔２０３を介して、筐体２内に、前記ガスバーナーの二次空気を供給可能としている。
【００３５】
次に、図において８は第１のカス受け皿であり、本実施例においては、前記筐体２内において、前記ガスバーナー７を挿入するための挿入孔２０２に対向する側に、筐体２の長手方向に直交する方向にむけてガイド部８０１を形成するとともに、このガイド部８０１内に挿抜自在にして、細長の箱形状とした第１のカス受け皿８を挿装している。そしてこれにより、前記鉄板４に形成した切り欠き４０２を介して、鉄板４上のカスを筐体２内に落下させると、この落下させたカス等を第１のカス受け皿８において受け入れることを可能としている。
【００３６】
また、図において９は第２のカス受け皿であり、本実施例の鉄板焼装置１においては、前記筐体２の底部開口２０４を閉塞可能なようにして、第２のカス受け皿８を、筐体２に対して挿抜自在に挿装している。
【００３７】
そして、本実施例においては、前記筐体２における長手方向を形成する側壁のそれぞれに、第２のカス受け皿９が貫通する挿入窓２０５を形成しており、この挿入窓２０５のそれぞれによって前記第２のカス受け皿９の端部近傍を支持するようにして、筐体２に、第２のカス受け皿９を挿抜自在に挿装している。
【００３８】
なお、図からも明らかなように、本実施例において前記第２のカス受け皿９は、その外形寸法を、前記鉄板４の外形寸法よりも大きくしており、これにより、鉄板４と筐体２の内壁間から落下したカス等を、すべて第２のカス受け皿９で受け入れることを可能としている。
【００３９】
次に、図において１１は防熱カバーである。即ち、本実施例の鉄板焼装置１では木製の防熱カバー１１を有しており、この防熱カバー１１により、テーブル天板１０上に露出する係止縁部３を覆う構成としている。そして、これにより、高温の係止縁部３がテーブル天板１０上に露出することによる火傷等の事故を未然防止可能としている。
【００４０】
ここで、前記防熱カバー１１について説明すると、図３は、図４におけるＡ−Ａ線断面で示した防熱カバー１１であり、図１乃至図３からも明らかなように、本実施例においては、防熱カバー１１によって、前記係止縁部３における長手方向を構成する部分を覆うこととしている。
【００４１】
そして、本実施例において前記防熱カバー１１は、係止縁部３を両端から挟み込むための一対の基台部１２を有しており、この基台部１２は、長手方向を構成する係止縁部３の長さよりわずかに長い間隔をおいて配置され、これにより、基台部１２によって係止縁部３をその長手方向から挟み込むことを可能にしている。
【００４２】
次に、前記基台部１２の上部には、前記一対の基台部１２をその上端部で連通したカバー本体部１３が配設されており、これにより、このカバー本体部１３は、基台部１２間の空間１５の上方側を閉鎖している。
【００４３】
そのため、基台部１１で係止縁部３を挟み込んだ状態においては、係止縁部３の上方をカバー本体部１３で覆うことが可能となるため、高温になった係止縁部３がテーブル天板１０上に露出することを防止でき、係止縁部３による火傷等の事故を防止することが可能である。
【００４４】
またそのとき、本実施例における防熱カバー１１では、このカバー本体部１３は、基台部１２間の空間１５の上方側を閉鎖しており、これにより係止縁部３とカバー本体部１３間には空間が形成されているため、この空間に存在する空気による空気断熱の効果により、係止縁部３の熱の影響でカバー本体部１３が高温になることを防止することができる。
【００４５】
次に、前記基台部１２の正面側あるいは背面側には、基台部１２をその正面側あるいは背面側で連通した遮熱部１４が配設されており、この遮熱部１４により、基台部１２間の空間の正面側あるいは背面側は閉鎖されている。
【００４６】
そのため、基台部１１で係止縁部３を挟み込んだ状態においては、鉄板４と調理者との間に遮熱部１４が介在することになり、この遮熱部１４により鉄板４上熱から調理者を守ることも可能である。
【００４７】
そしてそのとき、本実施例における防熱カバー１１では、この遮熱部１４は、基台部１２間の空間１５の正面側あるいは背面側を閉鎖しており、これにより、鉄板４と遮熱部１４間には空間が形成されているため、この空間に存在する空気による断熱効果により、鉄板４の熱の影響で遮熱部１４が高温になることを防止することができる。
【００４８】
なお、ここで、図５及び図６は、係止縁部３と防熱カバー１１との関係を示した図であり、図５は、筐体２を長手方向に向いて見た状態における防熱カバー１１の一方と係止縁部３の関係を示しており、図６は、筐体２を長手方向に沿って見た状態における防熱カバー１１の一方の端部近傍と係止縁部３との関係を示している。
【００４９】
次に、本実施例の鉄板焼装置１の作用について説明すると、係止縁部３を介して、筐体２をテーブル天板１０の切り欠き内に係止しつつ挿入するとともに、筐体２内にはガスバーナー８を配設し、更に、筐体２の上部に排気カバー６及び鉄板４を係止し、更にまた、係止縁部３を防熱カバー１１により覆うと、鉄板４の熱の伝播により、あるいはガスバーナーの炎の影響により筐体２の係止縁部３が高温になった場合でも、防熱カバー１１におけるカバー本体部１３により係止縁部３が覆い隠され、これんみより、調理者は安全に調理を行うことができる。
【００５０】
また、防熱カバー１１における遮熱部１４により、鉄板４の熱から調理者を守ることも可能となる。
【００５１】
更に、そのとき、一対の基台１１間には空間が形成されているため、この空間による空気断熱の効果で、カバー本体部１３及び遮熱部１４が高温になることを防止することが可能となる。
【００５２】
このように、本実施例の鉄板焼装置では、テーブル天板１０上に露出した係止縁部３を覆い隠す防熱カバー１１を備えているため、高温になった係止縁部により調理者等が火傷等の事故に遭うことを未然に防止することができる。
【００５３】
また、本実施例の鉄板焼装置における防熱カバー１１では、一対の基台部１１で係止縁部を挟み込むような配置で、単に係止縁部３上に配置するのみで良いので、特にテーブル天板１０に加工等を施す必要もなく、そのため、手間がかからず、コストが大きく上がることもない。
【００５４】
更に、単に係止縁部３上に配置するのみでよく着脱が可能な防熱カバー１１としているため、清掃が容易であり、そのため、テーブル天板上を常に清潔に保つことが可能である。
【００５５】
更にまた、防熱カバー１１の着脱が可能かつ容易であるため、季節により、あるいは顧客層により、模様等の異なる防熱カバーを用いることにより、テーブル天板等の印象を変えることもでき、より顧客のニーズに合わせることも可能となる。
【００５６】
なお、前述の説明では第２のカス受け皿９を備えた構成を説明したが、この第２のカス受け皿９は必ずしも必要なものではなく、これを備えない形態としても良い。
【００５７】
また、前述の実施例における防熱カバー１１では、テーブル天板３上に露出した係止縁部３の中の長手方向を構成する部分を覆う防熱カバーとしたが、必ずしも長手方向を構成する部分を覆う構成にする必要はなく、テーブル天板１０上に露出した係止縁部３のすべてを覆うこととしてもよい。
【００５８】
例えば、ここで、図７は本発明における防熱カバーの他の形態１１ｂを一部切り欠いて示した斜視図であり、図８は図７に示す本発明における防熱カバーの他の形態１１ｂを下面から示した斜視図である。そして、図７及び図８に示す防熱カバー１１ｂでは、カバー本体部１３ｂは、係止縁部３の全体を覆うことが可能なように四角形状に枠組みして構成されている。従って、係止縁部を覆う部分以外は開口１６となっており、カバー本体１３ｂを係止縁部３上に配設した際には、開口１６を介して鉄板４、排気カバー６が露出する構成としている。
【００５９】
そして、このカバー本体部１３ｂにおける外周側の縁部には、その全域において、下方側に向けて遮熱部１４ｂを連設している。従って、遮熱部１４ｂもまた四角形状に枠組みされた形態となっている。
【００６０】
そのため、これによりテーブル天板３８上に露出した係止縁部３の前面を覆うことができるとともに、遮熱部１４ｂの存在により、係止縁部３とカバー本体１３ｂとの間に空間を形成して、空気断熱の効果でカバー本体１３ｂが高温になることも防止でき、更に、遮熱部１４ｂにより、鉄板４の熱から調理者を守ることも可能となる。
【産業上の利用可能性】
【００６１】
本発明では、テーブル天板上に露出した筐体の係止縁部を防熱カバーで覆い隠すことを容易としているため、使用によって高温の部分が発生する加熱調理器全般に適用可能である。
【図面の簡単な説明】
【００６２】
【図１】鉄板焼装置の実施例を長手方向に向いて見た状態の断面構造を示す図である。
【図２】鉄板焼装置の実施例を長手方向に沿って見た状態の断面構造を示す図である。
【図３】防熱カバーの縦断側面図である。
【図４】鉄板焼装置の実施例を説明するための分解斜視図である。
【図５】鉄板焼装置の実施例における防熱カバーと係止縁部との関係を示す断面図である。
【図６】鉄板焼装置の実施例における防熱カバーと係止縁部との関係を示す断面図である。
【図７】本発明の鉄板焼装置における防熱カバーの他の形態を平面側から示した斜視図である。
【図８】本発明の鉄板焼装置における防熱カバーの他の形態を下面側から示した斜視図である。
【図９】従来の鉄板焼装置を説明するための断面図である。
【符号の説明】
【００６３】
１    鉄板焼装置
２    筐体
２０１    筐体の底部における縁部
２０２    バーナー挿入孔
２０３    空気孔
２０４    底部開口
２０５    挿入窓
３    筐体における係止縁部
４    鉄板
４０１    縁部
４０２    切り欠き
５    載置棚
６    排気カバー
６０１    開口
７    ガスバーナー
７０１    バーナー本体
７０２    混合管
７０３    ガス管
７０４    ガスコック
８    第１のカス受け皿
８０１    ガイド
９    第２のカス受け皿
１０    テーブル天板
１１、１１ｂ    防熱カバー
１２    基台部
１３、１３ｂ    カバー本体部
１４、１４ｂ    遮熱部
１５    基台部間に形成された空間
１６    カバー本体の開口
【図１】
2007151580.tif 000003
【図２】
2007151580.tif 000004
【図３】
2007151580.tif 000005
【図４】
2007151580.tif 000006
【図５】
2007151580.tif 000007
【図６】
2007151580.tif 000008
【図７】
2007151580.tif 000009
【図８】
2007151580.tif 000010
【図９】
2007151580.tif 000011